(57)【要約】【課題】新規な多機能を有する介助支援装置を開発することを技術課題とした。【解決手段】  ベッドＢの少なくとも上方で枠状に囲むように形成された保護枠２と、この保護枠２に対して吊り下げ支持されるハンガー本体３とを具え、前記保護枠２は、ハンガー本体３の吊り下げ位置を変更自在とした保持フック２７を具え、一方、ハンガー本体３は、幅方向に延びる基杆部３１と、この基杆部３１中央から上方に延びるポスト部３４と、このポスト部３４頂部から基杆部３１両端との間に設けられる一対の可調整ブレース３７とを具えた正面視三角形上のトラス部材であり、更に前記ポスト部３４頂部には、吊り受け部３６を有するとともに、基杆部３１両端には吊り下げ環部３２を具えていることを特徴として成る。【選択図】図１
2017012585.tif 000002
【特許請求の範囲】
【請求項１】
ベッドの少なくとも上方で枠状に囲むように形成された保護枠と、
この保護枠に対して吊り下げ支持されるハンガー本体とを具え、
前記保護枠は、ハンガー本体の吊り下げ位置を変更自在とした保持フックを具え、
一方、ハンガー本体は、幅方向に延びる基杆部と、この基杆部中央から上方に延びるポスト部と、このポスト部頂部から基杆部両端との間に設けられる一対の可調整ブレースとを具えた正面視三角形上のトラス部材であり、
更に前記ポスト部頂部には、吊り受け部を有するとともに、基杆部両端には吊り下げ環部を具えていることを特徴とする多機能を有する介助支援装置。
【請求項２】
前記ハンガー本体における基杆部は、その両端に接続される可調整ブレースにより、端部が上方に向かうプリストレスが付与されていることを特徴とする請求項１記載の多機能を有する介助支援装置。
【請求項３】
前記保持枠と、ハンガー本体とに加え、ハンガー本体に吊り下げられる支持シートとを具えるものであり、
この支持シートは、その前後左右の少なくとも四か所に吊り下げスリングの下端を取り付けるとともに、
左右それぞれの側において前後に並んでいる吊り下げスリングは、上方接続部で合流するように側面視逆Ｖ字状に接続され、この上方接続部において、前記ハンガー本体の基杆部両端に設けられた吊り下げ環部に吊り下げられ、
前記ハンガー本体により支持シートが吊り下げ状態に支持されるようにしたことを特徴とする請求項１または２記載の多機能を有する介助支援装置。
【請求項４】
前記保持枠における保持フックの吊り下げ位置を変更自在とする構成は、ベッドの長手方向両側に沿って配設される上部保持枠に対し、長手方向に移動自在とした可動支持枠と、
この可動支持枠に対しベッド幅方向に移動自在に設けられる可動サドルとを具えるものであり、この可動サドルに対し、保持フックを支持させる構成であることを特徴とする請求項１、２または３記載の多機能を有する介助支援装置。
【発明の詳細な説明】
【技術分野】
【０００１】
本発明は高齢者等がベッド上において姿勢を変えたり、リハビリ運動を行ったりする場合に用いられる、多機能を有する介助支援装置に係るものである。
【背景技術】
【０００２】
近年の高齢者人口の増加に伴い、医療、介護の現場ではベッドに寝ている状態の利用者の姿勢変えや、ベッドから車イスへの移動等に当たり、種々の介助が必要とされている。当然ながらこれらの介助作業は介助者にとっては極めて労力負担が多いものであって、動力利用の種々のリフト装置が介助支援のために提案されている（例えば特許文献１参照）。
一方、現実の高齢者施設を見ると、地震災害に対しては、専ら施設すなわち建造物の耐震性の向上が図られているが、このような地震発生時には自力避難ができない高齢者に対して、介助できるスタッフは充分ではない。現実の地震発生時の状況を考慮すると、たとえ建物は地震の揺れに耐えたとしても、ベッド周辺の機器の倒伏等が予想され、特にベッドの至近位置での危険発生は逃れ得ない。
更にまた、歩行機能が低下して日常的にベッドの上での生活時間が長い利用者の場合であっても、例えば上肢や上半身だけでも一定のリハビリ運動をすることは身体刺激を得られることから好ましい。
しかしながらベッド上での効果的で且つ安全なリハビリ支援の装置は少なく、歩行機能の衰えとともにこの種のリハビリ訓練は殆どされなくなってしまうのが現状であった。
【先行技術文献】
【特許文献】
【０００３】
【特許文献１】特開２０１４−０４５８６０公報
【発明の概要】
【発明が解決しようとする課題】
【０００４】
本発明はこのような一見、脈絡のない背景や課題を総合的に考慮してなされたものであって、これら課題を複合的に解決することのできる、新規な多機能を有する介助支援装置を開発することを技術課題とした。
【課題を解決するための手段】
【０００５】
まず請求項１記載の多機能性を有する介助支援装置は、ベッドの少なくとも上方で枠状に囲むように形成された保護枠と、この保護枠に対して吊り下げ支持されるハンガー本体とを具え、前記保護枠は、ハンガー本体の吊り下げ位置を変更自在とした保持フックを具え、一方、ハンガー本体は、幅方向に延びる基杆部と、この基杆部中央から上方に延びるポスト部と、このポスト部頂部から基杆部両端との間に設けられる一対の可調整ブレースとを具えた正面視三角形上のトラス部材であり、更に前記ポスト部頂部には、吊り受け部を有するとともに、基杆部両端には吊り下げ環部を具えていることを特徴として成るものである。
【０００６】
また請求項２記載の多機能性を有する介助支援装置は、前記要件に加え、前記ハンガー本体における基杆部は、その両端に接続される可調整ブレースにより、端部が上方に向かうプリストレスが付与されていることを特徴として成るものである。
【０００７】
更にまた請求項３記載の多機能性を有する介助支援装置は、前記要件に加え、前記保持枠と、ハンガー本体とに加え、ハンガー本体に吊り下げられる支持シートとを具えるものであり、この支持シートは、その前後左右の少なくとも四か所に吊り下げスリングの下端を取り付けるとともに、左右それぞれの側において前後に並んでいる吊り下げスリングは、上方接続部で合流するように側面視逆Ｖ字状に接続され、この上方接続部において、前記ハンガー本体の基杆部両端に設けられた吊り下げ環部に吊り下げられ、前記ハンガー本体により支持シートが吊り下げ状態に支持されるようにしたことを特徴として成るものである。
【０００８】
更にまた請求項４記載の多機能性を有する介助支援装置は、前記要件に加え、前記保持枠における保持フックの吊り下げ位置を変更自在とする構成は、ベッドの長手方向両側に沿って配設される上部保持枠に対し、長手方向に移動自在とした可動支持枠と、この可動支持枠に対しベッド幅方向に移動自在に設けられる可動サドルとを具えるものであり、この可動サドルに対し、保持フックを支持させる構成であることを特徴として成るものである。
そしてこれら各請求項記載の構成を手段として前記課題の解決が図られる。
【発明の効果】
【０００９】
まず請求項１記載の発明によれば、保護枠により、ベッド上の利用者の保護が図り得る。すなわち地震等が発生した場合、保護枠がいわばシェルター機能乃至はガードパイプとしての機能を果たし、ベッド上の利用者を保護することができる。
またこの保護枠により吊り下げられるハンガー本体の位置は、適宜の位置を選択することができるため、例えばこれを利用して、利用者がハンガー本体を両手で持ち、上肢の筋肉運動あるいは上半身を起こすときの手掛かりとするなど、複合的に利用することができる。
【００１０】
また請求項２記載の発明によれば、ハンガー本体自体の基幹部にプリストレスが付与されており、その幅方向中心に吊り上げ荷重がかかったときに、全体のトラスとしてその荷重を分散して受けることができる。
【００１１】
更にまた請求項３記載の発明によれば、利用者の下半身部にあてがって上半身を起こした状態で安定した吊り上げができ、例えばベッドから車イスへの移動が安全且つ利用者に負担をかけずに行うことができる。
【００１２】
更にまた請求項４記載の発明によれば、ハンガー本体の支持位置を自在に選択でき、利用者を適宜必要な場所に円滑に移動させることができる。
【図面の簡単な説明】
【００１３】
【図１】本発明の多機能性を有する介助支援装置を一部拡大透視して示す斜視図である。
【図２】同上平面図である。
【図３】ハンガー本体を示す正面図及び分解図である。
【図４】ハンガー本体に支持シートが吊持されたを示す斜視図である。
【発明を実施するための形態】
【００１４】
本発明を実施するための形態は、以下述べる実施例をその一つとするものであるとともに、この技術思想に基づく種々の改良した実施例も含むものである。
【実施例】
【００１５】
以下本発明を図１〜３に示す基本となる構成に基づいて具体的に説明する。図中符号１で示すものが本発明の「多機能性を有する介助支援装置」（以下、介助支援装置と称する。）であって、このものは利用者Ｍが用いるベッドＢに対して設けられる。
まず介助支援装置１は、保護枠２と、この保護枠２に対し吊り下げ位置を選択自在としたハンガー本体３と、利用者Ｍを直接持ち上げる部材である支持シート４と、ハンガー本体３と支持シート４とを結ぶ吊り下げスリング５とを主要部財としている。
以下、各部材について詳細に説明する。
【００１６】
まず前記保持枠２は、例えば全体として金属製パイプなどを強度部材として構成するものであり、一例としてベッドＢの四隅部付近に支柱２１を配設する。この支柱２１は、その最下端等に支柱２１の実質的な長さを調整できるような固定クランプ２２を設け、例えば支柱２１を床面と天井面との間にいわば突っ張り状態に固定するように配設する。
なお天井部における強度が不足しているような場合には、天井部の補強のために補助桟２３を設けるようにしてもよい。
もちろんこのような支柱２１の固定のほか、支柱２１を適宜ベッドＢの四隅部の脚部等に適宜のクランプ部材を介して取り付けるようにしてももとより差し支えない。
【００１７】
このような支柱２１の上部に上部保持枠２４を設けるものであり、少なくとも上部保持枠２４はベッドＢの長手方向に沿うような一対の部材を具える。
もちろん図２に示すように平面視で矩形状になるように、幅方向に向かう上部保持枠２４を具えることが好ましい。更にベッドＢの側方に例えば車イスＷを待機させるスペースを確保し、このスペースが図２に示すように平面視で上部保持枠２４内部に位置するようにすることが好ましい。
このような上部保持枠２４の長手方向に沿って移動できるような可動支持枠２５を上部保持枠２４に取り付ける。
更に上部保持枠２４と可動支持枠２５として、図１に拡大して示すようないわゆるＣチャンネル材と称される部材を用い、これによって可動支持枠２５の移動や、後述する可動支持枠２５が保持するハンガー本体３の移動を、より簡単な構成により図り得るようにすることも好ましい実施例の一つである。すなわち可動保持枠２５は、転動輪ユニット２５１によって上部保持枠２４に支持されて、ベッドＢの長手方向に沿って移動できるように構成される。
【００１８】
そして可動支持枠２５は、可動サドル２６をＣチャンネル材を利用して転動できるようにしたハンガー輪２６１によって移動自在に支持する。
そしてこの可動サドル２６に対し、Ｕ字型の保持フック２７が設けられる。
このような保持フック２７に対しては、チェーンブロック等を適用した引き上げユニット２８が吊り下げられる。
【００１９】
なお前記保持枠２の構成要素を、例えば足場用に用いられるパイプ状の部材やクランプ部材とすることも好ましい実施例の一つである。すなわちこれら足場用の部材は、建物の構造に手を加えることなく保持枠２を構成することができるものであり、且つ組み立てを容易に行うことができるとともに、利用者の要望に応じた構成を容易に実現することができるものである。またこのような足場用部材は、組み立てのみならず分解も容易に行うことができるものであり、短時間での分解（設置場所の原状回復）、並びに他の場所での再構築が可能である。
更に上記足場用部材は汎用品であるため安価に入手することができ、利用者に対して介助支援装置１を安価に提供することが可能となるため、例えば介護保険利用者にとって深刻な経済的負担を軽減することができる。
また可動支持枠２５を足場用に用いられる丸パイプ状の部材によって構成した場合には、図１に拡大して示すように、保持フック２７を具えたトロリー２６Ａの滑車がパイプ上を走行するように設けるような構成を採ることにより、構成を簡素化して更なるコストダウンを図ることができる。
更に前記上部保持枠２４を丸パイプ状の部材によって構成した場合にも、上部保持枠２４に対する可動支持枠２５の移動機構としてトロリー２６Ａを採用することにより、構成を簡素化して更なるコストダウンを図ることができる。
【００２０】
次に前記可動支持枠２５に支持されるハンガー本体３について説明する。このものは図３（ａ）に示すように正面視で扁平な三角形状のトラス構造を有するものであり、まず幅方向に適宜の寸法、例えば通常の人体の幅を考慮し、それより幾分広い程度の幅を具えた、直管状の基杆部３１を具える。この基杆部３１は、例えば金属素材等を適用した基杆芯材３１１を具え、基杆部３１はその両端部に吊り下げ環部３２を具える。なお例えば既存の規格素材を適用して構成する場合、基杆部３１は実質的に対応すべき荷重から、例えば１０〜１２ｍｍ程度の金属素材を適用する。そして少なくともその端部に雄ネジを形成して、ここに市販のアイフック等をねじ込み固定し吊り下げ環部３２を構成する。このように構成するときには、格別、製造するための専用の金型などを用意することなく、汎用部品で構成する点で好ましい。そして前記基杆部３１の芯材となる基杆芯材３１１は、その外周部に補強スリーブ３３を具えている。
更に前記基杆部３１は、その中央部からポスト部３４が上方に延びるように接続されるものであり、このものはポスト芯材３４１の一端に接続環部３４２を具え、更に頂部ボルト部３４３を接続環部３４２と反対側に具えて成るものである。そして前記接続杆部３４２が、基杆部３１を構成する基杆芯材３１１に外嵌されるように取り付けられる。
【００２１】
更にポスト部３４の上部には、頂部接続板３５が取り付けられ、この頂部接続板３５はその両端部にブレース受孔３５１を具える。また頂部接続板３５の中央には、Ｕ字型のフックである吊り受け部３６を具える。
そして前記基杆部３１の両端と、ポスト部３４の頂部とは、可調整ブレース３７によって接続される。この可調整ブレース３７は、例えば既存の製品を用いるのであれば、例えば耐荷重１００〜１５０ｋｇ程度のいわゆるターンバックルを利用することが好ましい。それぞれの可調整ブレース３７のフックロッド３７１を、前記基杆部３１の吊り下げ環部３２と、ポスト部３４の頂部接続板３５におけるブレース受け孔３５１とに係止させ、これを可調整ブレース３７の中央部にあるユニオンバックル３７２を適宜回転させて可調整ブレース３７の実質長を調整するものである。
なおこのとき、可調整ブレース３７は幾分か強めに張るような構成とし、基杆部３１に対しその両端が上方に向かうような分力要素を生じさせるようなプリストレスを付与することが好ましい。
なおハンガー本体３における可調整ブレース３７の部位には、特に保護カバー３８等を設けることが好ましい。具体的には例えば一定厚さのスリ割りがされた中空緩衝部材等を適用することが好ましい。
【００２２】
次に前記ハンガー本体３によって吊り下げられる支持シート４について説明する。支持シート４は図４に示すように、一例として平面視矩形の座面状のシート本体４１と、このシート本体４１に対し、一体に縫込みした掛け受けループ４２とを具えるものであり、この掛け受けループ４２はシート本体４１の全面に亘るようにループ要素ベルト４２１を、平面視で対角上に対向する掛け受けループ４２毎に一体となるように構成しておくことが、強度面あるいは安定性の面で好ましい。
【００２３】
このような支持シート４とハンガー本体３とは、更に別体の吊り下げスリング５で接続されるものであり、以下、この吊り下げスリング５について説明する。吊り下げスリング５は、適宜の強度を有する帯状部材の両端に端部ループ５１を形成し、二本の帯状部材の一端の端部ループ５１を上方接続部としての吊り受け環５２によって連結し、更に他端の端部ループ５１には中継部材としてのカラビナ５３を具えて成るものである。更に吊り下げスリング５には必要に応じて上体支持ハーネス５４を形成するものであり、四本の吊り下げスリング５の中間位置を平面視で一辺のみを開放した状態で三辺を結ぶように形成することが好ましい。
【００２４】
このような保持枠２、ハンガー本体３、支持シート４、吊り下げスリング５のそれぞれは一例として以下のような組み立て形態を採り、適宜の使用目的に応じた使用がされる。
まず保持枠２はベッドＢを囲むように構成されるものであり、その構成状態は既に述べたようにベッドＢに直接枠状に固定して構成するほか、ベッドＢとは別に、ベッドＢの置かれた部屋の天井面と床面との間の区間を利用して固定したり、更に必要に応じて側壁部等を利用して固定を行う。
このような保持枠２に対して支持される可動サドル２６に設けられた保持フック２７を利用して、引き上げユニット２８の上部フック２８１が取り付けられ、可動サドル２６に対し引き上げユニット２８が吊り下げ状態に取り付けられる。更に引き上げユニット２８の巻き上げフック２８２に対し、ハンガー本体３の吊り受け部３６が係止されて支持される。
なお符号２８３は、引き上げユニット２８の巻き上げフック２８２を操作するための巻上げ操作チェーンである。
また保持フック２７自体は、前記可動サドル２６が可動支持枠２５の幅方向に適宜移動できることから、上部保持枠２４の略全域に亘って適宜の位置に移動できるように構成されている。
【００２５】
このようなハンガー本体３に対し、前記支持シート４が支持されるものであって、ハンガー本体３の吊り下げ環部３２に対し、吊り下げスリング５の上部の吊り受け環５２をカラビナ５３を介して保持させる。一方、吊り下げスリング５の下方の端部ループ５１を前記支持シート４の掛け受けループ４２にカラビナ５３を介して接続させることにより、図４（ｃ）に示すように幅方向からの側面視では吊り下げスリング５が逆Ｖ字状になるように、ハンガー本体３と支持シート４との間を結ぶように構成される。
【００２６】
次に上述のようにして構成された介助支援装置１の使用形態について説明する。
〔吊り上げ移動〕
まず利用者ＭをベッドＢ上から吊り上げ移動する実施例について説明する。この場合には既に述べたようなハンガー本体３に対し支持シート４を吊り下げスリング５を介して接続したような状態として用いる。まず使用にあたっては支持シート４を適宜人手による作業により、利用者Ｍの腰部下方に差し込むようにし、その状態で例えば吊り下げスリング５の吊り受け環５２を前記ハンガー本体３の吊り下げ環部３２に吊り下げておき、この状態で下端に位置する端部ループ５１と支持シート４の掛け受けループ４２とをカラビナ５３で接続する。
このような状態で、例えばベッドＢの寝台面が倒伏自在のものの場合、適宜これを操作して利用者Ｍの上半身を起こすようにする。もちろんこのような機能を有しないベッドＢの場合には、介助者により利用者Ｍの上半身を起こすようにする。
このような状態で、引き上げユニット２８における巻き上げ操作チェーン２８３を操作して、巻き上げフック２８２を上昇させ、利用者ＭをベッドＢから僅かに浮き上がった状態として、ベッドＢ側部に足先が向かうようなかたちに移動させて行く。
このとき可動サドル２６が保持枠２に対し自在に移動できることから、例えばベッドＢの脇に準備した車イスの至近位置に利用者Ｍを移動させることができる。
【００２７】
なおこのような移動がされる際、ハンガー本体３に対しての荷重についてみると、ポスト部３４の上方に位置する吊り受け部３６が引き上げユニット２８によって持ち上げられ、一方、基杆部３１の両端の吊り下げ環部３２には利用者Ｍの体重を受けや力が作用している。このとき基杆部３１の両端に対しては、可調整ブレース３７によって、幾分かプリストレスが付与されているため、基杆部３１の中央が上方に引き上げられるための荷重を受けたとき、全体としてハンガー本体３はバランスが取れた状態となる。結果的にハンガー本体３の各構成部材を極端な強度付与を行わなくとも十分な耐荷重が得られる。
更にこのような吊り上げ移動にあたっては、利用者Ｍが自ら体の安定を保ちにくい場合、前記吊り下げスリング５に対し、上体支持ハーネス５４を設けておき、これによって利用者Ｍの背面部あるいは両上肢付近を保持するような形態として安全な移動ができるようにすることができる。
【００２８】
〔リハビリ機能〕
更に本発明では、ハンガー本体３の位置が平面視及び立面視でのベッドＢに対し適宜の位置に選択できるから、例えばベッドＢ上で仰向けに横臥状態の利用者Ｍの上半身直上部にハンガー装置３を配置し、利用者Ｍが両手で基杆部３１を保持して上半身を起こすような運動をすることができる。しかもこの場合、ハンガー本体３は保持枠２に対し確実に保持されており、例えばいわゆるバーベル等を用いての上腕部の訓練等とは異なり、その素材自体が利用者Ｍの上に落下することがなく、安全な運動が保障される。
このような運動は、実質的には上腕部の筋肉トレーニングの他、それに伴い上半身を起こす運動により腹筋等他の筋肉の強化・刺激が得られるものである。
もちろんこのようにハンガー本体３の基杆部３１を利用して自ら上腕部等の機能訓練を行う他、例えば下肢の足先を基杆部３１に掛け、介助者がハンガー本体３を引き上げユニット２８の操作により上下に移動させることにより、下肢の運動等に用いることができる。
【００２９】
〔ガード機能〕
更に保持枠２はベッドＢを取り囲むように設けられているから、周辺の機器が倒れた場合、更には建造物の天井や壁、梁や柱が崩れた場合でも、ベッドＢ上の利用者Ｍの保護が達成できる。
もちろん周辺に配置されている家具、その他の機器に応じて、更に保持枠２の支柱２１や上部保持枠２４等を利用して保護パネルなどを設けて、安全性を更に高めることも可能である。
【００３０】
〔アメニティの向上機能〕
更に、利用者ＭがベッドＢ上で生活する時間が長いことを考慮すると、保持枠２を利用して、例えばより自然に目視できるような状態でテレビ等を配置することができる。この場合、例えば図  に示すようにテレビ保持枠２９を適宜傾斜自在にし、ベッドＢ上で仰向けに横臥状態の利用者Ｍが画面を直視できるような位置に設定することができる。
なお好ましくはこのようなテレビ保持枠２９の傾斜を、例えばリモコン装置を用いて遠隔操作できるようにすることが好ましい。
【符号の説明】
【００３１】
１      介助支援装置
２      保持枠
２１    支柱
２２    固定クランプ
２３    補助桟
２４    上部保持枠
２５    可動支持枠
２５１  転動輪ユニット
２６    可動サドル
２６Ａ  トロリー
２６１  ハンガー輪
２７    保持フック
２８    引き上げユニット
２８１  上部フック
２８２  巻き上げフック
２８３  巻き上げ操作チェーン
２９    テレビ保持枠
３      ハンガー本体
３１    基杆部
３１１  基杆芯材
３２    吊り下げ環部
３３    補強スリーブ
３３１  被服材
３４    ポスト部
３４１  ポスト芯材
３４２  接続環部
３４３  頂部ボルト部
３５    頂部接続板
３５１  ブレース受け孔
３６    吊り受け部
３７    可調整ブレース
３７１  フックロッド
３７２  ユニオンバックル
３８    保護カバー
４      支持シート
４１    シート本体
４２    掛け受けループ
４２１  ループ要素ベルト
５      吊り下げスリング
５１    端部ループ
５２    吊り受け環
５３    カラビナ
５４    上体支持ハーネス
Ｂ      ベッド
Ｍ      利用者
Ｗ      車イス
【図１】
2017012585.tif 000003
【図２】
2017012585.tif 000004
【図３】
2017012585.tif 000005
【図４】
2017012585.tif 000006